(57)【要約】【課題】  市販品のティッシュボックスに簡単に着脱できて磁石を再利用できると共にティッシュボックの使い勝手を高め、長期間使用できて信頼性を高めることもできる。【解決手段】  本考案のティッシュボックス用マグネットホルダ１においては、ティッシュボックス１０の両側板部１２とそれぞれ当接する二本一組とする本体２と、この本体２の両側にその長さ方向に沿い収納可能に設けられ、先端に差し込み爪４を有する二個一対の摺動板３と、各摺動板３にそれぞれ設けられた磁石部５とを有して構成されている。【選択図】  図３
0003123784.tif 000002
【実用新案登録請求の範囲】
【請求項１】
ティッシュボックスにおける長手方向の両側の側板部にそれぞれ装着され、かつ前記ティッシュボックスを磁力によって磁着性材料に付着させるティッシュボックス用マグネットホルダであって、
前記ティッシュボックスにおける前記側板部の巾と略同様の長さを有し、かつ前記側板部と各々当接する二個一対からなる筒状の本体と、
該各本体の両側にそれぞれ摺動自在に挿通され、先端に、前記各側板部の両側に該各側板部と直交して設けられた差し込み口に差し込み可能に設けられた差し込み爪を有する摺動板と、
該各摺動板の下部に前記ティッシュボックスの底板部と平行に設けられ、該底板部を支持する磁石部とを備えることを特徴とするティッシュボックス用マグネットホルダ。
【請求項２】
前記差し込み爪は、前記各摺動板の先端に摺動板と平行に折り返して形成されていることを特徴とする請求項１記載のティッシュボックス用マグネットホルダ。
【請求項３】
前記摺動板は、これと前記本体との何れか一方に設けられた長孔と、前記何れか他方に設けられて前記長孔と係合する突起とからなるガイド機構により、前記本体及び前記側板部に沿って摺動可能とされることを特徴とする請求項１又は２記載のティッシュボックス用マグネットホルダ。
【考案の詳細な説明】
【技術分野】
【０００１】
本考案は、ティッシュボックス用マグネットホルダに係り、特に、ティッシュペーパーが収納されている市販のティッシュボックスを利用することで、当該ティッシュボックスの使い勝手を良好にしたものである。
【背景技術】
【０００２】
ティッシュボックスは、長方形の箱形形状をなしており、その中に多数枚のペーパーが収納されている。そして、ティッシュボックスの多くは、通常、テーブルや机などの上に設置されて使用されている。
このようなティッシュボックスにあっては、使い勝手を高めるため、種々の技術が提案されている（例えば、特許文献１及び２参照。）。
【０００３】
特許文献１記載の従来技術（以下、第１の従来技術という）では、底面に磁石を埋め込んだ箱状体でティッシュボックスの底部を覆い、その磁石により、冷蔵庫の外壁のような鉄板からなる強磁性体で形成された被着体にティッシュボックスを吸着させると共に、ティッシュボックス側面に上記の箱状体の内面に形成された複数の係止突片を作用させることでティッシュボックスを取り付ける構造が開示されている。
【０００４】
また、特許文献２のもの（以下、第２の従来技術という）は、基片とその両端の側片とからコ字形に形成された取り付け具本体の裏側に２個の磁石を取り付けてあって、側片の内面に保持爪が切起こして形成され、取り付け具本体の内側にティッシュボックスを押し込んでその側面に保持爪を係止させることにより、ティッシュボックスに取り付け具を装着できるようにしている。
したがって、いずれの従来技術においても、ティッシュボックスが不必要に動くことなく設置することができるばかりでなく、場合によっては壁などに立て掛けた状態のままでも使用できるようになっている。
【特許文献１】実開昭６２−３１０３２号公報
【特許文献２】特開平１０−２０１６５９号公報
【考案の開示】
【考案が解決しようとする課題】
【０００５】
しかしながら、上述した第１の従来技術のものは、ティッシュボックスの底に磁石が埋め込まれているので、ティッシュペーパーを使い切ると用済みとなってしまい、そのまま捨てられるので、それだけ無駄になるという問題があった。
また、第２の従来技術のものは、取り付け具本体の側片に設けられた保持爪がティッシュボックスを長手方向に沿って挟み込むことで、ティッシュボックスに取り付け具が装着される構成であるので、ティッシュボックスを長期間使い続けた場合、ティッシュボックスにおいて、保持爪によって挟み込まれた部分がへたってしまい、保持爪による挟み込み力が次第に減少する。そのため、壁などにティッシュボックスを立て掛けた場合、ティッシュボックスに対する取り付け具の装着力が低下し、ティッシュボックスが壁などから落下するおそれがある。特に、立て掛けられたティッシュボックスが横長の状態で使用した場合、ティッシュボックス自体の重さも作用し、落下しやすくなってしまう結果、長期間の使用に対する信頼性に乏しいという問題がある。
【０００６】
本考案は、上記従来技術の問題点に鑑み、市販品のティッシュボックスに簡単に着脱できて磁石を再利用することができると共に、ティッシュボックの使い勝手を高めることができ、しかも長期間使用できて信頼性を高めることもできるティッシュボックス用マグネットホルダを提供することを課題とする。
【課題を解決するための手段】
【０００７】
上記課題を解決するために本考案においては、以下の手段を採用した。
請求項１記載の本考案は、ティッシュボックスにおける長手方向の両側の側板部にそれぞれ装着され、かつ前記ティッシュボックスを磁力によって磁着性材料に付着させるティッシュボックス用マグネットホルダであって、前記ティッシュボックスにおける前記側板部の巾と略同様の長さを有し、かつ前記側板部と各々当接する二個一対からなる筒状の本体と、該各本体の両側にそれぞれ摺動自在に挿通され、先端に、前記各側板部の両側に該各側板部と直交して設けられた差し込み口に差し込み可能に設けられた差し込み爪を有する摺動板と、該各摺動板の下部に前記ティッシュボックスの底板部と平行に設けられ、該底板部を支持する磁石部とを備えることを特徴とする。
請求項２記載の本考案は、前記差し込み爪は、前記各摺動板の先端に摺動板と平行に折り返して形成されていることを特徴とする。
請求項３記載の本考案は、前記摺動板は、これと前記本体との何れか一方に設けられた長孔と、前記何れか他方に設けられて前記長孔と係合する突起とからなるガイド機構により、前記本体及び前記側板部に沿って摺動可能とされることを特徴とする。
【考案の効果】
【０００８】
以上説明したように、本考案の請求項１によれば、市販品のティッシュボックスに簡単に着脱できて磁石を再利用することができると共に、ティッシュボックの使い勝手を高めることができ、しかも長期間使用できて信頼性を高めることもできる効果が得られる。
請求項２によれば、ティッシュボックスの側板部に沿って摺動すると、側板部に対して差し込み爪を簡単に抜き差しすることができる効果が得られる。
請求項３によれば、摺動板をティッシュボックスの側板部に沿って簡単に摺動させることができる効果が得られる。
【考案を実施するための最良の形態】
【０００９】
以下、本考案の実施の形態を、添付図面に基づいて説明する。図面中、図１は本考案の一実施形態によるティッシュボックス用マグネットホルダをティッシュボックスに装着するときの説明用斜視図、図２は市販品のティッシュボックスの要部を示す拡大図、図３は本考案の一実施形態によるティッシュボックス用マグネットホルダの分解斜図、図４は同じくティッシュボックス用マグネットホルダの組立状態を示す斜視図、図５はティッシュボックス用マグネットホルダを示す正面図、図６はティッシュボックス用マグネットホルダを示す平面図、図７は本体から摺動板を引き出した状態を示す説明図である。
【００１０】
図１において、符号１は本考案のティッシュボックス用マグネットホルダ、１０は市販のティッシュボックスである。
本考案のティッシュボックス用マグネットホルダ１を述べる前に、図１および図２を用いて市販のティッシュボックス１０について以下に説明する。市販のティッシュボックス１０は図２に示すように、矩形状をなす前板部及び後板部１１，１１と、上板部１３と、底板部１４と、両側板部１２，１２とによって長方形の箱形形状をなしており、上板部１３にはティッシュを取り出すための取出口１５が設けられている。また、ティッシュボックス１０の各側板部１２，１２の両端部には、側板部１２と直交方向に差し込み口１６が設けられている。
【００１１】
さらに詳細に説明すれば、ティッシュボックス１０においては、図２に示すように、側板部１２の内側にあって、前，後板部１１に連設された内板１７が設けられる一方、底板部１４の端部が立ち上げるように折り曲げて立ち上げ板１２ａが形成され、また上板部１３の端部が下方に折り曲げられることで垂下板１２ｂが形成されている。そして、立ち上げ板１２ａの上端側が内板１７に貼付けられると共に、その立ち上げ板１２ａに垂下板１２ｂの下端側が貼付けられることで、側板部１２の両端部においては、立ち上げ板１２ａと内板１７とによって画成された上部差し込み口１６ａと、垂下板１２ｂと内板１７とによって画成された下部差し込み口１６ｂとが形成され、これら上部差し込み口１６ａと下部差し込み口１６ｂとによって差し込み口１６が構成されている。このような市販のティッシュボックスは、通常の高さサイズのものは勿論、近年使用されている薄型タイプのサイズのものでも同様である。
【００１２】
そこで、本考案のティッシュボックス用マグネットホルダ１においては、ティッシュボックス１０の両側板部１２とそれぞれ当接する二本一組とする本体２と、この本体２の両側にその長さ方向に沿い収納可能に設けられ、先端に差し込み爪４を有する二個一対の摺動板３と、各摺動板３にそれぞれ設けられた磁石部５とを有して構成されている。
【００１３】
そして、摺動板３の差し込み爪４がティッシュボックス１０の差し込み口１６を利用することでティッシュボックス１０の両側板部に本体２がそれぞれ着脱自在に取り付けられ、このとき、磁石部５がティッシュボックス１０の底板１４を支持することで、ティッシュボックス１０を縦置きの状態でも使用可能としたものである。
【００１４】
本体２は、図３において、薄肉の板体で長方形状をなしており、その上端縁及び下端縁に内側に向かう調整突起２ａ，２ｂが長さ方向に沿って設けられ、一方の高さ調整突起２ｂに蓋部材６の上端縁が接着剤などによって固定されると共に、蓋部材６の下中央部に設けられた張出し突起６ａも同様に接着剤などによって固定されることで、微少な隙間を有する筒状に形成されている。微少な隙間とは、摺動板３が摺動し得る程度の寸法である。
【００１５】
摺動板３は、本体２と蓋部材６とによって画成される筒状の内部に挿通される板厚をなす板状のもので、その先端には、ティッシュボックス１０の立ち上げ板１２ａ（図２参照）の厚みに相当する寸法を有しつつ折り返して形成された差し込み爪４が設けられている。差し込み爪４は、ティッシュボックス１０の下部差し込み口１２ｂに確実に差し込めるようにするため、図３〜図５に示すように、先端に至るに従い次第に高さが狭められ、しかも図６に示すように先端に至るに従って次第に肉薄に形成され、したがって概略的にはいわゆる先細形状をなしている。
【００１６】
摺動板３の各々には、長手方向に沿う長孔３ａが設けられており、組付け時、本体２と蓋部材６間に挿入されたとき、蓋部材６に設けられたガイド突起６ｂ（図４に破線にて示す部分）が長孔２ａに入り込んだ状態となる。したがって、本体２に対し、その両側から摺動板３を引き出したり押し入れたりすると、長孔２ａによってガイド突起６ｂがガイドされることで、摺動板３が本体２の長さ方向に摺動自在となる。つまり、長孔２ａとガイド突起６ｂとからなるガイド機構により、摺動板３が本体２に沿って摺動自在とされている。
但し、本実施形態においては、図３に示すように、ガイド突起６ｂが蓋部材６に設けられる一方、本体２にガイド突起６ｂを挿入し得る程度の大きさの長孔２ａが設けられているが、それらを逆の形態にして設けてもよいのは言うまでもない。
【００１７】
摺動板３の差し込み爪４は、前述したティッシュボックス１０の側壁１２において、差し込み口１６の下部差し込み口１６ｂに挿入し得る大きさをなしており、差し込みに際し、まず、摺動板３を本体２の両側から引き出しておいて本体２をティッシュボックス１０の側壁に当接させた状態とし、次いで摺動板３を元に戻すように移動して差し込み爪４の先端をティッシュボックス１０の下部差し込み口１６ｂに差し込むことで、本体２がティッシュボックス１０に装着される。
【００１８】
また、摺動板３の下部には、取付板７を介して磁石部５が設けられている。取付板７は、摺動板３の下部にこれと直交するよう折り曲げて設けられてあって、また摺動板３と同程度の長さをもっている。磁石部５は、取付板７と略同様の大きさをなしており、取付板７の底面に貼付けられている。
このような蓋部材６を有する本体２、差し込み爪４及び取付板７を有する摺動板３のそれぞれは、合成樹脂によって図３に示すように個々に形成された後、それらが図５〜図７に示すように互いに組み付けられたり、また取付板７に磁石部５が接着剤などによって取り付けられたりすることで、ティッシュボックス用マグネットホルダ１０が構成されることとなる。
なお、図３において、符号２ｃは、本体２においてガイド突起６ｂと対応する位置に設けられた孔である。
【００１９】
このティッシュボックス用マグネットホルダ（以下、「マグネットホルダ」と略称す）１は、上記のように構成されているので、次にその取り扱いについて以下に説明する。
まず、装着に際しては、予め本体２の両側から摺動板３を図７に示すようにそれぞれ引き出しておき、次いで図示していないが、本体２の蓋部材６側をティッシュボックス１０の両側壁部１２に押し当ると共に、摺動板３の取付板７上にティッシュボックス１０の底面を載置させた後、その状態のままで摺動板３を、図１に矢印にて示すように、元の位置まで移動し、これにより、差し込み爪４をティッシュボックス１０の差し込み口１６の下部差し込み口１６ｂに外側から差し込むことで、ティッシュボックス１０の両側にマグネットホルダ１をそれぞれ装着する。
【００２０】
この場合、摺動板３の下部に設けられた取付板７上にティッシュボックス１０の底部が載置されるとともに、本体２がティッシュボックス１０の側板部１２に当接した状態となっていることから、ティッシュボックス１０の下部差し込み口１６ｂに対する差し込み爪４の位置が合致し、そのため、摺動板３を単に元の位置に移動するだけで、差し込み爪４が下部差し込み口１２ｂに必然的に差し込まれることとなる。
【００２１】
このようにして、ティッシュボックス１０の一方の側板部１２側に一方の組のマグネットホルダ１を取り付けた後、他方の側板部１２側にも同様にして他方の組のマグネットホルダ１を取り付けることで、ティッシュボックス１０に対する装着を完了する。
これにより、ティッシュボックス１０の底面には、長手方向の両端部にマグネットホルダ１が装着されているので、金属面などのような磁着性材料からなる部分に、磁石部５の磁力によって立て掛けて置くことができる。
【００２２】
したがって、この実施形態のマグネットホルダ１によれば、ティッシュボックス１０のティッシュペーパーを使い切った場合、ティッシュボックス１０から取り外しておき、新たなティッシュボックス１０に上述と同様にして装着し、使用することができるので、ティッシュボックス自体に磁石を固定することが不要になる結果、ティッシュボックスの底に磁石が固定される第１の従来技術に比較し、再利用して有効に活用することができるので、使い勝手を高めることができる。
【００２３】
また、このマグネットホルダ１によれば、ティッシュボックス１０に存在する下部差し込み口１６ｂに対し、その両側から摺動板３の差し込み爪４を差し込むことでティッシュボックス１０に装着するので、ティッシュボックス１０を長期間使用していても、その効果を持続させることができる。
そのため、側片の保持爪によってティッシュボックスを挟み込む第２の従来技術に比較すると、ティッシュボックスの側片がへたってくるようなことがないので、特にティッシュボックスを壁などに横長の状態で立て掛けておいても、長期間でも安定した状態で使用することができ、それだけ信頼性を高めることができる。
【００２４】
さらに、差し込み爪４は、各摺動板３の先端にこれと平行に折り返して形成されているので、ティッシュボックス１０の側板部１２に沿って摺動すると、側板部１２に対して差し込み爪４を簡単に抜き差しすることができる。
そして、摺動板３は、本体２に設けられた長孔３ａと、この長孔３ａと係合するガイド突起６ｂとからなるガイド機構により、本体２及びティッシュボックス１０の側板部１２に沿って摺動可能とされるので、側板部１２に沿って簡単に摺動させることができる。これらにより、ティッシュボックス１０に対するマグネットホルダ１の着脱を簡単に行うことができ、使い勝手をより高めることができる。
なお、本実施形態においては、摺動板３の差し込み爪４がティッシュボックス１０において、下部差し込み口１６ｂに差し込まれるように構成された例を示したが、上部差し込み口１６ａに差し込むように構成することもでき、要は、所期の機能を有すればよく、図示例に限定されるものではない。
【図面の簡単な説明】
【００２５】
【図１】本考案の一実施形態によるティッシュボックス用マグネットホルダをティッシュボックスに装着するときの説明用斜視図である。
【図２】市販品のティッシュボックスの要部を示す拡大図である。
【図３】本考案の一実施形態によるティッシュボックス用マグネットホルダの分解斜図である。
【図４】同じくティッシュボックス用マグネットホルダの組立状態を示す斜視図である。
【図５】ティッシュボックス用マグネットホルダを示す正面図である。
【図６】ティッシュボックス用マグネットホルダを示す平面図である。
【図７】本体から摺動板を引き出した状態を示す説明図である。
【符号の説明】
【００２６】
１  ティッシュボックス用マグネットホルダ
２  本体
３  摺動板
３ａ  長孔
４  差し込み爪
５  磁石部
６  蓋部材
６ｂ  ガイド突起
７  取付板
１０  ティッシュボックス
１２  側板部
１４  底板部
１６  差し込み口
１６ａ  上部差し込み口
１６ｂ  下部差し込み口
【図１】
0003123784.tif 000003
【図２】
0003123784.tif 000004
【図３】
0003123784.tif 000005
【図４】
0003123784.tif 000006
【図５】
0003123784.tif 000007
【図６】
0003123784.tif 000008
【図７】
0003123784.tif 000009